(57)【要約】【課題】  フラットパネルディスプレーでは、見る角度が正面からずれると映像が鮮明に見難くなる種類もあり、手動でしか角度調節出来ないスタンドでは、映像を最良の状態で見る為に、ディスプレーまで行って角度を調節しなければならない手間があった。  又、持ち運び易い利点を生かす為に、スタンドそのものも成るべく軽くする必要があった。【解決手段】  本考案のリモコン操作式スタンドは、上下・水平の回転部は球面形状として、１つの連結構造で済ませられるものとした。  又、小画面用ではモーター軸を鉛直方向にして、ウオーム・ホイールで上下駆動を、螺旋軸と螺旋溝を有するコマの上下移動で水平駆動を、行える様にした。上記構造で縦長のスタンドとなし、ディスプレーを目線位置に近くした。  大画面用ではモーター軸を水平方向にして、上下・水平駆動共にウオーム・ホイールで行える様にして、低い高さのスタンドとなし、ディスプレー中心が目線位置より高くならない様に押えた。【選択図】      図３
2005115301.tif 000002
【特許請求の範囲】
【請求項１】
表示装置を動かす為の２個のモーターを備え、その動きをウオーム・ホイールやスクリュー・ナット等で上下方向及び水平方向の動きに変換し、１つの軸で表示装置を移動可能にした、と共に、離間位置からの発信器操作により起動・停止をさせられる様にした、表示装置支持台。
【請求項２】
上記した表示装置支持台において、モーターをその軸が垂直方向になる様に配し、上下方向はモーター軸に付けたウオームでホイールを回し、水平方向はモーター軸に付けたスクリューでナットを移動させて、そのナットで螺旋溝を有すると共に前記上下機能を内臓した回転体を回す様にした、表示装置支持台。
【請求項３】
請求項１の表示装置支持台において、モーターをその軸が水平方向になる様に配し、上下方向はモーター軸に付けたウオームでホイールを回し、水平方向もモーター軸に付けたウオームで前記上下機能を内臓したホイールを回す様にした、表示装置支持台。
【請求項４】
上記した表示装置支持台において、移動機構がその終端にて衝突し、モーター電流が上昇したことを感知して電流遮断し、遮断した直後にそれまでより大きい電流でわずかな時間モーターが逆転する、回路を備えた、表示装置支持台。
【発明の詳細な説明】
【技術分野】
【０００１】  本発明は、表示装置等を最も見易い角度へ調節する為の、水平回転と上下への傾きを調整できるテレビやディスプレーのスタンドであり、それを見る人が位置しているままの場所から操作出来る、遠隔操作機能を備えたテレビスタンドである。
【背景技術】
【０００２】  従来のテレビスタンドでは、水平・上下の角度調節は可能であるが、電動式の物は用意されておらず、手動で行わざるを得なかった。
【特許文献１】特開平１０−３１８４８９号公報
【特許文献１】特開２００３−１８５０８８号公報
【発明の開示】
【発明が解決しようとする課題】
【０００３】  手動で角度調節する為に立ち上がったり、テレビやディスプレーまで行かなければならない手間を省き、座ったままもしくは居ながらにして遠隔操作釦を押すだけで角度調節出来る様にするものである。
【課題を解決するための手段】
【０００４】  操作釦を押すことでＯＮ／ＯＦＦを発信し、表示装置支持台に内臓されたモーターを回すことによって、角度調節が為されるようにした。
【発明の効果】
【０００５】  近年多く用いられる液晶等の薄型表示装置では、斜めから見ると鮮明に見え難い難点があるが、本支持台で角度調節すれば正面から見る事が出来るので、常に良好な映像を見る事が可能となる。
又、水平及び上下回転を１つの軸で伝えるので、支持台そのものの小さくて軽い物とする事が出来、場所移動の為の持ち運びも容易となる。
【発明を実施するための最良の形態】
【０００６】  水平・上下の駆動機構として、請求項２では２つのモーター共に垂直に配し、ウオーム・ホイールとスクリュー・ナットを利用することで、細い形状を達成する事が出来た。請求項３では２つのモーター共に水平に配し、２つ共にウオーム・ホイールを利用することで、低い高さで済ませる事が出来た。
モーター駆動回路は、発信信号での起動・停止、移動領域端衝突での電流上昇による停止・引き続いての逆電流を短時間流す方式とした。
【実施例】
【０００７】  図１に請求項２のディスプレーとスタンド、図２にスタンド、図３に上部の移動部を分解した状態、図４に下部の駆動機構部を分解した状態を示す。
リモコン操作で上下駆動のＯＮ信号が発信されると、上下モーター１が回り、そのモーター軸に固着されたウオーム２がホイール３を回すと同時にホイール３と噛合った揺動コマ４を動かす。
揺動コマ４には側面に円弧状の溝部４ａが設けてあって、それに相対する左分割コマ５の円弧状突起５ａに嵌合して、揺動コマ４が移動する。
水平駆動のＯＮ信号が発信されると、水平モーター６が回り、そのモーター軸に固着された螺旋軸７が直線溝８ａを持つ螺旋コマ８を上下させる。
螺旋コマ８には螺旋溝８ｂも設けられていて、相対する螺旋突起５ｂに嵌合して、左分割コマ５を回す。尚、左分割コマ５と右分割コマ９は、ホイール３と揺動コマ４を内臓させて締結され、半円突起５ｃ，９ａが一つの円形突起となって、下スタンド１０の球状凹部１０ａ裏側の円形凹部に嵌め込まれる。左分割コマ５には下面にも柱状突起５ｄが備えられ、軸受１１にて回転支持される。
それ故、左分割コマ５が回されれば、内臓された揺動コマ４が回されることになる。又、上下モーター支持板１７は右分割コマ９に固着されているので、上下モーター１は、揺動コマ４の水平回転と一体となって水平回転する。
揺動コマ４には連結棒１２が締結され、締結板３を介して、上スタンド１４と結合される。上スタンド１４には、球状凹部１０ａと相対する位置に、球状凸部が設けられていて、水平回転・揺動が可能な形状となっている。【０００８】  図５に請求項３のスタンド、図６に上部の移動部を分解した状態、図７に下部の駆動機構部を分解した状態を示す。
前記と同じ作用で、上下駆動のＯＮ信号が発信されると、上下モーター２０が回り、そのモーター軸に固着されたウオーム２１が揺動コマ２２を動かす。
揺動コマ２２には上面に円弧状の溝部２２ａが設けてあって、それに相対する回転コマ２３の円弧状突起に嵌合して、揺動コマ２２が移動する。
水平駆動の場合は、ＯＮ信号が発信されると水平モーター２４が回り、そのモーター軸に固着されたウオーム２１が回転コマ２３を回転させる。そうすれば、揺動コマ２２は、溝部２２ａが回転コマ２３に嵌まり込んでいるから、一体となって回転する。又、上下モーター支持板２５は回転コマ２３に固着されているので、上下モーター２０は、揺動コマ２３の水平回転と一体となって水平回転する。
上スタンド２６への連結についても請求項２の場合と同じく、揺動コマ２２には連結棒２７が締結され、締結板２８を介して、上スタンド２６と結合される。上スタンド２６には、下スタンド２９の球状凹部２９ａと相対する位置に、球状凸部が設けられていて、水平回転・揺動が可能な形状となっている。【０００９】  以上の構成でＯＮ信号を発信し続けた場合、揺動コマ４・２２や螺旋コマ８は移動可能域を過ぎ別の部材に衝突するが、モーター駆動電気回路では、衝突時にそれまでよりも大きい電流が流れることによって回路を遮断し、直後に遮断電流よりも更に大きい逆電流を短時間流すことによって、モーターを短時間逆転させて後、移動操作を停止させる回路とした。
それによりリミットスイッチを不要とし、その分のスペースを節約して軽量化を果たしている。
【図面の簡単な説明】
【００１０】
【図１】ディスプレーを備えた請求項２のスタンド
【図２】請求項２のスタンド
【図３】上記スタンドの上部分解図
【図４】上記スタンドの駆動機構分解図
【図５】請求項３のスタンド
【図６】請求項３のスタンドの上部分解図
【図７】請求項３のスタンドの駆動機構分解図
【図８】モーター駆動回路フロー図
【符号の説明】
【００１１】１、２０    上下モーター          ２、２１        ウオーム
３          ホイール
４、２２    揺動コマ              ４ａ，２２ａ    円弧状溝部
５          左分割コマ            ５ａ            円弧状突起
５ｂ        螺旋突起              ５ｃ            半円突起
５ｄ        柱状突起
６、２４    水平モーター          ７              螺旋軸
８          螺旋コマ              ８ａ            直線溝
８ｂ        螺旋溝
９          右分割コマ            ９ａ            半円突起
１０、２９  下スタンド            １０ａ，２９ａ  球状凹部
１１        軸受                  １２、２７      連結棒
１３、２８  締結板                １４、２６      上スタンド
１５        回路基板              １６            底面カバー
１７、２５  上下モーター支持板    １８            水平モーター支持板
１９        軸受支持板
２３        回転コマ
【図１】
2005115301.tif 000003
【図２】
2005115301.tif 000004
【図３】
2005115301.tif 000005
【図４】
2005115301.tif 000006
【図５】
2005115301.tif 000007
【図６】
2005115301.tif 000008
【図７】
2005115301.tif 000009
【図８】
2005115301.tif 000010